(57)【要約】【課題】施肥・播種装置の前方に、機体の幅方向に延び、圃場の鎮圧と作溝を同時に行う鎮圧・作溝ローラを設ける。【解決手段】耕耘された圃場に施肥・播種する施肥・播種装置を備えた施肥・播種機であって、施肥・播種装置の前方に、機体の幅方向に延び、圃場の鎮圧と作溝を行う鎮圧・作溝ローラ４６，４７を設けた。鎮圧・作溝ローラ４６，４７は、動力４８により強制駆動回転する。鎮圧・作溝ローラ４６，４７は、上下調節可能な構成である。鎮圧・作溝ローラ４６，４７は、機体の幅方向に延びる円筒状の鎮圧ローラ４６と、この鎮圧ローラ４６の長さ方向中央位置に、そろばん玉状の作溝ローラ４７を鎮圧ローラ４６と一体的に設けた。そして、播種精度を高めて発芽率を向上させ、また、播種条間を変更しても作溝ローラ４７の位置を変更する必要がない。【選択図】　　　　図２
2004073021.tif 000002
【特許請求の範囲】
【請求項１】
耕耘された圃場に施肥・播種する施肥・播種装置を備えた施肥・播種機において、
上記施肥・播種装置の前方に、機体の幅方向に延び、圃場の鎮圧と作溝を行う鎮圧・作溝ローラを設けたことを特徴とする施肥・播種機。
【請求項２】
上記鎮圧・作溝ローラは、動力により強制駆動回転することを特徴とする請求項１記載の施肥・播種機。
【請求項３】
上記鎮圧・作溝ローラは、上下調節可能な構成であることを特徴とする請求項１又は２記載の施肥・播種機。
【請求項４】
上記鎮圧・作溝ローラは、機体の幅方向に延びる円筒状の鎮圧ローラと、この鎮圧ローラの長さ方向中央位置に、そろばん玉状の作溝ローラを鎮圧ローラと一体的に設けたことを特徴とする請求項１、２又は３記載の施肥・播種機。
【発明の詳細な説明】
【０００１】
【発明の属する技術分野】
本発明は、施肥・播種装置の前方に、機体の幅方向に延び、圃場の鎮圧と作溝を同時に行う鎮圧・作溝ローラを設けた施肥・播種機に関する。
【０００２】
【従来の技術】
従来、耕耘された圃場に施肥・播種する施肥・播種装置を備えた施肥・播種機が周知である。また、ロータリ耕耘装置の後部に施肥・播種機を装着して、ロータリ耕耘装置による耕耘作業と、ロータリ耕耘装置により耕耘された直後の圃場に施肥・播種機による施肥・播種作業とを、同時に行うようにした複合作業機も周知である。また、施肥・播種作業と同時に作溝輪により排水溝を形成する複合作業機も周知である。
【０００３】
【発明が解決しようとする課題】
上記従来の施肥・播種機においては、施肥・播種部の後方に鎮圧ローラを設けて施肥・播種後の圃場面を鎮圧するようにしているため、播種深さが安定せずに発芽不良が発生する恐れがあった。また、作溝輪により排水溝を形成する複合作業機においては、作溝輪が複数個ついているため、播種条間を変更するごとに作溝輪の位置を変更しなければならず、その変更調整作業が面倒であった。
【０００４】
本発明は上記の課題を解決することを目的になされたもので、施肥・播種装置の前方に、圃場の鎮圧作業と作溝作業を同時に行う鎮圧・作溝ローラを設けることにより、播種精度を高めて発芽率を向上させ、また、播種条間を変更しても作溝ローラの位置を変更する必要がない，施肥・播種機を提供しようとするものである。
【０００５】
【課題を解決するための手段】
上記の目的を達成するために本発明は、以下の構成（請求項１〜４）を備えることを特徴としている。
Ａ．耕耘された圃場に施肥・播種する施肥・播種装置を備えた施肥・播種機において、
上記施肥・播種装置の前方に、機体の幅方向に延び、圃場の鎮圧と作溝を行う鎮圧・作溝ローラを設けた。
Ｂ．上記鎮圧・作溝ローラは、動力により強制駆動回転する。
【０００６】
Ｃ．上記鎮圧・作溝ローラは、上下調節可能な構成である。
Ｄ．上記鎮圧・作溝ローラは、機体の幅方向に延びる円筒状の鎮圧ローラと、この鎮圧ローラの長さ方向中央位置に、そろばん玉状の作溝ローラを鎮圧ローラと一体的に設けた。
【０００７】
【作用】
上記の構成により本発明の施肥・播種機は、以下の作用をする。
ａ．施肥・播種装置の前方に、機体の幅方向に延び、圃場の鎮圧と作溝を行う鎮圧・作溝ローラを設けることで、鎮圧作業と作溝作業を行った後に施肥・播種作業を行うことにより、播種深さが安定し、播種精度がよくなって発芽率が向上する。
ｂ．鎮圧・作溝ローラは、動力により強制駆動回転することで、播種しようとする耕耘土壌に対しスリップすることなく精度よく鎮圧し、また、精度よく作溝することにより播種圃場の表面排水が良好となり、発芽率が向上し、生育環境を良好にする。
【０００８】
ｃ．鎮圧・作溝ローラは、上下調節可能なので、播種しようとする耕耘土壌を適切な圧力で鎮圧し、また、適切な深さの作溝が行われる。
ｄ．鎮圧・作溝ローラは、機体の幅方向に延びる円筒状の鎮圧ローラと、この鎮圧ローラの長さ方向中央位置に、そろばん玉状の作溝ローラを鎮圧ローラと一体的に設けることで、播種しようとする耕耘土壌に対する鎮圧作業と、作業幅中央位置への作溝作業を同時に行う。
【０００９】
【発明の実施の形態】
以下、本発明の一実施の形態を添付の図面を参照して具体的に説明する。
図１及び図２において、符号１は本発明による第１実施例のロータリ耕耘装置で、このロータリ耕耘装置１は、左右方向に延びる本体フレーム２の長さ方向中央部にギヤボックス３を設け、該ギヤボックス３から両側に延びて伝動フレーム２ａと支持フレーム２ｂを形成している。伝動フレーム２ａの側端部にはチェン伝動ケース４が、支持フレーム２ｂの側端部にはサポートフレーム５が、それぞれ上端部を固着して垂下され、これらチェン伝動ケース４の下端部とサポートフレーム５の下端部との間に、アップカット形式の耕耘ロータＵＲを軸支している。耕耘ロータＵＲの上方は本体フレーム２に支持されたシールドカバー６により覆われ、このシールドカバー６の後端部にエプロン７の前端部が上下回動自在に枢支されている。さらに、前記エプロン７の後端部に均平板８の前端部が上下回動自在に枢支され、該均平板８の左右両端部には延長均平板８ａが左右起倒可能に設けられている。前記エプロン７の上面と本体フレーム２の間にはコンプレッションロッド９，９が介装されている。
【００１０】
前記本体フレーム２から前方斜め下方に側面視正方形の支持パイプ１０が本体フレーム２と平行に支持され、この支持パイプ１０に、左右対をなす支持ホルダ１１，１１が設けられている。この支持ホルダ１１には支持アーム１２が上下調節可能に嵌挿され、該支持アーム１２の下端部に軸支部１３が取付けられ、この軸支部１３にロータリ耕耘装置１の長さと等しい長さの回転軸１４が軸支されている。この回転軸１４には、耕耘ロータＵＲの前方に位置して６個のコールタ１５が等間隔に配設され、それぞれのコールタ１５は、取付け部１５ａにより回転軸１４に対して軸方向に移動して固定可能であり、コールタ１５の相互の間隔が調節可能である。この実施例のコールタ１５は、ロータリ耕耘装置１が移動する際に土壌と接する接地抵抗により自転するようになっているが、これを動力により強制駆動回転するようにしてもよい。前記複数のコールタ１５のうち両端のもの１５Ｓは、耕耘ロータがアップカットＵＲの場合は図２のように伝動ケース４及びサポートフレーム５の前方に配設されるが、後述する図３ないし図５に示されるダウンカットＤＲの場合は伝動ケース４及びサポートフレーム５の内側に配設される。
【００１１】
符号１６は、ロータリ耕耘装置１が装着される図示しないトラクタから、ＰＴＯ軸、ユニバーサルジョイント、伝動軸を介して、ギヤボックス３から前方に突出した入力軸（図５参照）に対し、ロータリ耕耘装置１をトラクタに装着する動作によって自動的に接続して動力伝達する伝動装置である。この伝動装置１６による動力伝達の解除操作、及び自動接続待機操作は、伝動操作レバー１７により行われる。前記本体フレーム２から前方に左右一対のロアーリンク連結部２ｃ，２ｃが突出しており、このロアーリンク連結部２ｃ，２ｃにオートヒッチカプラ１８を介して自動連結される。前記オートヒッチカプラ１８には上部にトップリンク連結部１９及びトップマスト係合フック２０、下部両側にロアリンク連結ピン２２が設けられ、トラクタの３点リンクヒッチにオートヒッチカプラ１８を装着して、トップマスト係合フック２０をロータリ耕耘装置１のトップマスト２１に係合させて油圧によりロータリ耕耘装置１を持ち上げたとき、オートヒッチカプラ１８の下部両側がロアリンク連結ピン２２に自動連結され、ロータリ耕耘装置１はトラクタの後部に昇降可能に装着される。
【００１２】
前記シールドカバー６及びエプロン７の左右両側部は側部カバー２３により覆われ、この側部カバー２３の前部下側で伝動ケース４及びサポートフレーム５の下部前側に、ロータリ耕耘装置１の作業時に機体の進行とともに圃場表面にある稲麦の稈を、伝動ケース４またはサポートフレーム５の下側に案内するガイドプレート２４を配設している。本体フレーム２から後方に向け左右一対の作業機連結フレーム２５が先端枢支部ａを中心に上下回動可能に支持され、この作業機連結フレーム２５，２５間を連結杆２６により連結し、該連結杆２６の長さ方向中間部と本体フレーム２との間に上下調節装置２７を介装している。作業機連結フレーム２５，２５は、後端側から他の作業機である施肥・播種機３０の連結杆３１，３１を嵌挿して、着脱可能の複合作業機を構成する。
【００１３】
施肥・播種機３０は、機体から前方に左右一対の連結杆３１が突出しており、この連結杆３１，３１をロータリ耕耘装置１の作業機連結フレーム２５，２５に嵌挿して装着する。そして、上下調節装置２７を回動することによって、施肥・播種機３０はロータリ耕耘装置１に対して上下移動調節が可能である。施肥・播種機３０の本体フレーム３４の前端部に、上下調節機構３２と前後角度調節機構３３とが設けられ、施肥・播種機３０の上下高さと前後角度が調節可能である。本体フレーム３４には、側面視正方形の支持フレーム３４ａが左右方向に延びるようにして支持され、この支持フレーム３４ａに複数組（この実施例では２組）の施肥・播種ユニットが左右移動調節可能に取り付けられている。各施肥・播種ユニットは、肥料ホッパ３５と種子ホッパ３６が前後一体に設けられ、両ホッパ３５，３６の底部に軸支された肥料繰り出しロール３５ａ及び種子繰り出しロール３６ａにより肥料及び種子が繰り出される。
【００１４】
上記両ホッパ３５，３６の後方に、支持フレーム３４ａに対して上端部を枢支し、コンプレションロッド３８ａにより支持して後方下部に向け斜設されたチェン伝動ケース３８の後端部に接地駆動輪３７を軸支し、この接地駆動輪３７が圃場に接して機体の移動とともに回転駆動することにより得られた回転動力を、チェン伝動ケース３８を介して肥料繰り出しロール３５ａの回転中心を伝動状態で貫通して支持フレーム３４ａと平行に延びている回転軸３８ｂに伝達する。この回転軸３８ｂに対し、肥料繰り出しロール３５ａは伝動状態で左右に摺動可能であり、肥料繰り出しロール３５ａから種子繰り出しロール３６ａに対し図示しないギヤ伝動機構を介して回転動力が伝達される。肥料繰り出しロール３５ａから繰り出された肥料は肥料シュート３５ｂにより案内されて施肥され、種子繰り出しロール３６ａから繰り出された種子は種子シュート３６ｂにより案内されて播種される。肥料シュート３５ｂと種子シュート３６ｂとは左右にずれており、施肥位置と播種位置は左右にずれている。
【００１５】
肥料繰り出しロール３５ａ及び種子繰り出しロール３６ａの下方には、前端部を上下一対の平行リンク４０及び均衡ばね４１により支持された揺動フレーム３９が上下揺動可能に設けられている。この揺動フレーム３９と肥料繰り出しロール３５ａ及び種子繰り出しロール３６ａの下方との間は、蛇腹状の防水カバーにより覆われている。揺動フレーム３９には前から順に、２枚のディスクからなる開溝ディスク４２と、覆土輪４３と、鎮圧ローラ４４とを設けている。前記連結杆３１，３１の後端部には門型をした支持枠４５が固設され、この支持枠４５の下端部間に鎮圧・作溝ローラ４６，４７を軸支している。該鎮圧・作溝ローラ４６，４７は、鎮圧ローラ４６の長さ方向中央位置にそろばん玉状の作溝ローラ４７を設けたものである。この鎮圧・作溝ローラ４６，４７は、支持枠４５の一側に設けられ、油圧ホース４８ａにより圧油を受けて回転する油圧モータ４８により強制回転駆動される。あるいは油圧モータ４８を設けることなく、機体が移動する際に鎮圧・作溝ローラ４６，４７が土壌に接する接地抵抗により自転させるようにしてもよい。連結杆３１，３１及び支持枠４５（鎮圧・作溝ローラ４６，４７）はヒッチ金具３１ａを介して本体フレーム３４に対し着脱可能である。
【００１６】
図３ないし図５に示す本発明による第２実施例のロータリ耕耘装置１は、図１及び図２の第１実施例のロータリ耕耘装置１に比べ、耕耘ロータをアップカット形式ＵＲからダウンカット形式の耕耘ロータＤＲにし、コールタ１５の耕耘ロータに対する配置構造を変えたほかは、第１実施例のロータリ耕耘装置１と同じ構成である。即ち、第２実施例のロータリ耕耘装置１におけるコールタ１５は、回転軸１４に、耕耘ロータＤＲの前方に位置して４個のコールタ１５を等間隔に配設し、それぞれのコールタ１５は、取付け部１５ａにより回転軸１４に対して軸方向に移動して固定可能で、各コールタ１５の相互の間隔が調節可能である。前記４個のコールタ１５のうち両端のもの１５Ｓは、図４に示すように、耕耘ロータＤＲの伝動ケース４及びサポートフレーム５の内側に配設されている。第２実施例の施肥・播種機３０は、第１実施例の施肥・播種機３０と同様のものである
【００１７】
上記第１実施例及び第２実施例のロータリ耕耘装置１は、単独で通常の耕耘作業に用いることができるが、図１ないし図５に示すように、ロータリ耕耘装置１の後部に本発明に係る施肥・播種機３０を、連結杆３１を介して装着して複合作業機として用いられる。
【００１８】
次に、このような構成を備えたロータリ耕耘装置１及び施肥・播種機３０の動作について説明する。
ロータリ耕耘装置１及び施肥・播種機３０は、ロータリ耕耘装置１の前部をトラクタの後部に昇降可能に連結し、ロータリ耕耘装置１においては、トラクタからギヤボックス３に動力を受け、耕耘ロータＵＲまたはＤＲを所定の方向に回転させて耕耘作業を行う。また、施肥・播種機３０においては、ロータリ耕耘装置１とともに移動しながら、ロータリ耕耘装置１により耕耘整地された圃場面に施肥・播種作業を行う。
【００１９】
ロータリ耕耘装置１においては、耕耘しようとする圃場の表面に稲麦の長稈が多量にあっても、これを複数個のコールタ１５により短く切断し、あるいは土中に押し込んで埋没させ、耕耘ロータＵＲまたはＤＲにより適切な耕耘作業が行われる。また、複数のコールタ１５のうち両端のもの１５Ｓは、耕耘ロータがアップカットＵＲの場合は伝動ケース４及びサポートフレーム５の前方に、ダウンカットＤＲの場合は伝動ケース４及びサポートフレーム５の内側にそれぞれ配設されているので、ロータリ耕耘装置１により耕耘しようとする圃場の表面に稲麦の長稈が多量にあっても、アップカットＵＲ、ダウンカットＤＲのそれぞれの形式に応じて、伝動ケース４及びサポートフレーム５の前側において稲麦の長稈がコールタ１５により切断処理され、安定した耕耘作業が行われる。さらに、伝動ケース５の下部前側及びサポートフレーム５の下部前側にガイドプレート２４が配設されているので、コールタ１５により切断されたワラ稈をガイドプレート２４によって伝動ケース４及びサポートフレーム５の下側に案内し、伝動ケース４及びサポートフレーム５の下部に長いワラ稈が詰まるのが防止される。
【００２０】
また、ロータリ耕耘装置１で耕耘しようとする圃場の表面に稲麦の長稈が多量にあっても、これをコールタ１５により短く切断してから耕耘ロータＵＲまたはＤＲにより耕耘するので、耕耘ロータＵＲまたはＤＲの回転軸や耕耘爪の取り付け基部にワラ稈が巻き付くのを防止する。耕耘ロータＵＲまたはＤＲにより耕耘された土壌は、シールドカバー６、エプロン７、均平板８などによって砕土・均平されるが、長いワラ稈はコールタ１５により切断されているので、ワラ稈の土壌への混入が良好に行われ、土壌表面に多くのワラ稈が露出することがなく、施肥・播種機３０による施肥・播種作業を精度よく行うことができる。
【００２１】
施肥・播種機３０においては、機体前部に設けられ、油圧モータ４８により強制回転駆動する鎮圧・作溝ローラ４６，４７によって、施肥・播種作業に先立って、ロータリ耕耘装置１により耕耘・整地・均平された圃場面を鎮圧ローラ４６により鎮圧して均平にし、２つの施肥・播種ユニットの中間位置に作溝ローラ４７により排水溝４９を形成する（図６参照）。この排水溝４９は、排水を行うほか、施肥・播種後の発芽・生育作物に対する中耕、除草、培土などの管理作業を行う際の目印ともなる。そして、鎮圧ローラ４６により鎮圧された圃場面に開溝ディスク４２により播種溝が開溝され、この播種溝に種子シュート３６ｂから播種される。また、播種位置の側方に肥料シュート３５ｂにより施肥される。播種された種子Ｓ及び施肥された肥料は覆土輪４３により覆土され、その後鎮圧ローラ４４により鎮圧される（図６参照）。このような、開溝ディスク４２による開溝作業、覆土輪４３による覆土作業、鎮圧ローラ４４による鎮圧作業の際に圃場面に凹凸があると、平行リンク４０及び均衡ばね４１を介して揺動フレーム３９が上下に揺動し、圃場の凹凸に追従して安定した作業を行う。
【００２２】
【発明の効果】
以上説明したように本発明による施肥・播種機は、請求項１〜４に記載の構成を備えることにより、以下の作用効果を奏する。
▲１▼．施肥・播種装置の前方に、機体の幅方向に延び、圃場の鎮圧と作溝を行う鎮圧・作溝ローラを設けたので、鎮圧作業と作溝作業を行った後に施肥・播種作業を行うことにより、播種深さが安定し、播種精度がよくなって発芽率を向上させることができる。
▲２▼．鎮圧・作溝ローラは、動力により強制駆動回転するので、播種しようとする耕耘土壌に対しスリップすることなく精度よく鎮圧し、また、精度よく作溝することにより播種圃場の表面排水が良好となり、発芽率が向上し、生育環境を良好に保持することができる。
【００２３】
▲３▼．鎮圧・作溝ローラは、上下調節可能なので、上下高さを適切に調節することにより、播種しようとする耕耘土壌を適切な圧力で鎮圧し、また、適切な深さの作溝を行うことができる。
▲４▼．鎮圧・作溝ローラは、機体の幅方向に延びる円筒状の鎮圧ローラと、この鎮圧ローラの長さ方向中央位置に、そろばん玉状の作溝ローラを鎮圧ローラと一体的に設けたので、播種しようとする耕耘土壌に対する鎮圧作業と、作業幅中央位置への作溝作業を同時に、かつ適切に行うことができる。
【図面の簡単な説明】
【図１】本発明による第１実施例の複合作業機の側面図である。
【図２】同平面図である。
【図３】本発明による第２実施例の複合作業機の側面図である。
【図４】同平面図である。
【図５】本発明による第２実施例の複合作業機の詳細を示す側面図である。
【図６】本発明の複合作業機による作業跡を示す断面図である。
【符号の説明】
１　ロータリ耕耘装置
２　本体フレーム　　２ａ　伝動フレーム　　２ｂ　支持フレーム　　２ｃ　ロアリンク連結部
３　ギヤボックス
４　チェン伝動ケース
５　サポートフレーム
ＵＲ　アップカット耕耘ロータ　　ＤＲ　ダウンカット耕耘ロータ
６　シールドカバー
７　エプロン
８　均平板
９　，３８ａ　コンプレッションロッド
１０　支持パイプ
１１　支持ホルダ
１２　支持アーム
１３　軸支部
１４　回転軸
１５　コールタ　　１５ａ　取付け部　１５Ｓ　両端のコールタ
１６　伝動装置
１７　伝動操作レバー
１８　オートヒッチカプラ
１９　トップリンク連結部
２０　トップマスト係合フック
２１　トップマスト
２２　ロアリンク連結ピン
２３　側部カバー
２４　ガイドプレート
２５　作業機連結フレーム
２６　連結杆
２７　上下調節装置
３０　施肥・播種機
３１　連結杆
３２　上下調節機構
３３　前後角度調節機構
３４　本体フレーム　　３４ａ　支持フレーム
３５　肥料ホッパ　　３５ａ　肥料繰り出しロール　　３５ｂ　肥料シュート
３６　種子ホッパ　　３６ａ　種子繰り出しロール　　３６ｂ　種子シュート
３７　接地駆動輪
３８　チェン伝動ケース　　３８ｂ　回転軸
３９　揺動フレーム
４０　平行リンク
４１　均衡ばね
４２　開溝ディスク
４３　覆土輪
４４　鎮圧ローラ
４５　支持枠
４６　鎮圧ローラ
４７　作溝ローラ
４８　油圧モータ　４８ａ　油圧ホース
４９　排水溝
Ｓ　播種され、鎮圧された種子
【図１】
2004073021.tif 000003
【図２】
2004073021.tif 000004
【図３】
2004073021.tif 000005
【図４】
2004073021.tif 000006
【図５】
2004073021.tif 000007
【図６】
2004073021.tif 000008